(57)【特許請求の範囲】
【請求項１】
エレベーター昇降路内の取付ブラケットに、六角穴付ボルトを用いて所定のスライディングクリップを取り付ける際に使用されるエレベーター用ガイドレールクリップの締付治具であって、
前記スライディングクリップの前記取付ブラケットへの固定部分に合わせて開口幅が形成された開口を有する本体部と、
前記本体部に設けられ、前記本体部が前記スライディングクリップの前記固定部分を内部に収容するように配置された状態でその一部が前記六角穴付ボルトの六角穴の内部に配置され、前記六角穴付ボルトの回転を規制する回転規制部と、
を備えたことを特徴とするエレベーター用ガイドレールクリップの締付治具。
【請求項２】
前記回転規制部は、前記六角穴付ボルトの回転に連動させて前記本体部を変位させることにより、前記本体部を前記スライディングクリップの前記固定部分に接触させ、前記六角穴付ボルトがそれ以上回転することを防止することを特徴とする請求項１に記載のエレベーター用ガイドレールクリップの締付治具。
【請求項３】
前記回転規制部は、前記六角穴付ボルトの六角穴の内部に配置される部分に磁石が備えられたことを特徴とする請求項１又は請求項２に記載のエレベーター用ガイドレールクリップの締付治具。
【請求項４】
前記回転規制部は、六角柱状を呈する棒状部材からなり、前記本体部に対して着脱自在に設けられたことを特徴とする請求項１から請求項３の何れかに記載のエレベーター用ガイドレールクリップの締付治具。
【請求項５】
エレベーター昇降路内の取付ブラケットに、六角穴付ボルトを用いて所定のスライディングクリップを取り付ける際に使用されるエレベーター用ガイドレールクリップの締付治具であって、
本体部と、
前記本体部に設けられ、前記取付ブラケットに着脱自在に固定される固定部と、
前記本体部に設けられ、前記固定部が前記取付ブラケットに固定された状態で、前記六角穴付ボルトの六角穴の内部に配置され、前記六角穴付ボルトの回転を規制する回転規制部と、
を備え、
前記回転規制部は、六角柱状を呈する棒状部材からなり、前記本体部に対して着脱自在に設けられたことを特徴とするエレベーター用ガイドレールクリップの締付治具。
【請求項６】
エレベーター昇降路内の取付ブラケットに、六角穴付ボルトを用いて所定のスライディングクリップを取り付ける際に使用されるエレベーター用ガイドレールクリップの締付治具であって、
本体部と、
前記本体部に設けられ、前記本体部の一部が前記取付ブラケットに対向するように配置された状態で、前記六角穴付ボルトの六角穴の内部に配置され、前記六角穴付ボルトの回転を規制する回転規制部と、
を備え、
前記回転規制部は、六角柱状を呈する棒状部材からなり、前記本体部に対して着脱自在に設けられたことを特徴とするエレベーター用ガイドレールクリップの締付治具。
【発明の詳細な説明】
【技術分野】
【０００１】
この発明は、エレベーター用ガイドレールの据付時に作業者が使用する締付治具に関するものである。
【背景技術】
【０００２】
図１はエレベーター用ガイドレールの固定部分を示す正面図、図２はその平面図である。図１及び図２において、１はエレベーター昇降路内に立設されたガイドレールである。ガイドレール１は、そのガイド部１ａによってエレベーターのかご（図示せず）の走行を案内するためのものである。ガイドレール１は、昇降路内の固定体に固定された取付ブラケット２に、専用のガイドレールクリップを用いて取り付けられている。なお、３はガイドレールクリップの一種であるＡ形のスライディングクリップ、４はスベリ板、５は六角穴付ボルト、６はナットである。
【０００３】
スライディングクリップ３は、地震等によって建物が変形した際に、ガイドレール１や取付ブラケット２に変形が発生してしまうことを防止するための所定の構成を有している。即ち、建物の変形によってガイドレール１に過大な鉛直方向の力が作用すると、ガイドレール１とスベリ板４（即ち、取付ブラケット２及びスライディングクリップ３）との間に滑りが発生し、ガイドレール１等の変形を防止する。このため、ガイドレール１の据付精度に対する地震等の影響を最小限に抑えることができる。
【０００４】
具体的に、上記スライディングクリップ３は、鋼製の板状部材がひらがなの「つ」（或いは「し」）状に折り曲げられることによって成形されている。そして、スライディングクリップ３は、スベリ板４を介して、一端側の内側面がガイドレール１のフランジ部１ｂの側面に、他端がフランジ部１ｂの端面に対向するように取り付けられている。即ち、スライディングクリップ３は、バネの力を利用してフランジ部１ｂを取付ブラケット２側に押し付け、ガイドレール１を一定の保持力で支持する。また、スライディングクリップ３は、スベリ板４に突き当てた他端により、ガイドレール１の左右方向（図中のＡ方向）の移動を防止する。
【０００５】
上記構成のスライディングクリップ３を用いてガイドレール１を固定する場合、作業者は、例えば、スライディングクリップ３の長辺側に形成された貫通孔３ａに六角穴付ボルト５を通した後、六角穴付ボルト５のネジ部を、スライディングクリップ３の短辺側に形成された貫通孔３ｂ及び取付ブラケット２に形成された貫通孔２ａに挿入し、取付ブラケット２の背面２ｂ側から、六角穴付ボルト５のネジ部にナット６を回し入れる。そして、作業者は、片手（に持ったスパナ等）でナット６を押さえながら、もう片方の手で六角レンチ（図示せず）を用いて六角穴付ボルト５を締め付け、上記保持力をガイドレール１に作用させる。
【０００６】
なお、ガイドレール１の固定作業は、エレベーターの据付時や改修時等に行われるものであり、作業者は、例えば、エレベーターのかご枠（図示せず）に設置された作業床上から、上記固定のために必要な作業を実施する。
【０００７】
また、エレベーター用ガイドレールの取り付けに関する従来技術として、例えば、ボルトの締付時にガイドレールクリップが一緒に回転してしまうことを防止するものが提案されている（特許文献１参照）。
【先行技術文献】
【特許文献】
【０００８】
【特許文献１】特開２０１０−６４８０３号公報
【発明の概要】
【発明が解決しようとする課題】
【０００９】
上記構成のスライディングクリップ３を用いてガイドレール１の固定作業を行う場合、作業者は、六角穴付ボルト５の締め付けを片手で行うことができなかった。このため、六角穴付ボルト５の締め付けを行うためには、作業者が一人であれば両手が必要になり、また、片手で作業床周囲の安全柵を掴むのであれば複数人の作業者が必要になってしまう。特に、作業者は、上記締付作業を足場が不安定な作業床上で行わなければならず、その作業に多大な時間と労力とを要することとなっていた。
【００１０】
なお、特許文献１は、ボルトの締付時にガイドレールクリップが一緒に回転してしまうことを防止するための技術を開示したものであり、その内容からは、上記問題を解決することはできなかった。
【００１１】
この発明は、上述のような課題を解決するためになされたもので、その目的は、スライディングクリップを用いてガイドレールを取付ブラケットに固定する際に、作業者が一人であっても、ボルトの締付作業を片手で且つ簡単に行うことができるようにするためのエレベーター用ガイドレールクリップの締付治具を提供することである。
【課題を解決するための手段】
【００１３】
この発明に係るエレベーター用ガイドレールクリップの締付治具は、エレベーター昇降路内の取付ブラケットに、六角穴付ボルトを用いて所定のスライディングクリップを取り付ける際に使用されるエレベーター用ガイドレールクリップの締付治具であって、スライディングクリップの取付ブラケットへの固定部分に合わせて開口幅が形成された開口を有する本体部と、本体部に設けられ、本体部がスライディングクリップの固定部分を内部に収容するように配置された状態でその一部が六角穴付ボルトの六角穴の内部に配置され、六角穴付ボルトの回転を規制する回転規制部と、を備えたものである。
また、この発明に係るエレベーター用ガイドレールクリップの締付治具は、エレベーター昇降路内の取付ブラケットに、六角穴付ボルトを用いて所定のスライディングクリップを取り付ける際に使用されるエレベーター用ガイドレールクリップの締付治具であって、本体部と、本体部に設けられ、取付ブラケットに着脱自在に固定される固定部と、本体部に設けられ、固定部が取付ブラケットに固定された状態で、六角穴付ボルトの六角穴の内部に配置され、六角穴付ボルトの回転を規制する回転規制部と、を備え、回転規制部は、六角柱状を呈する棒状部材からなり、本体部に対して着脱自在に設けられたものである。
また、この発明に係るエレベーター用ガイドレールクリップの締付治具は、エレベーター昇降路内の取付ブラケットに、六角穴付ボルトを用いて所定のスライディングクリップを取り付ける際に使用されるエレベーター用ガイドレールクリップの締付治具であって、本体部と、本体部に設けられ、本体部の一部が取付ブラケットに対向するように配置された状態で、六角穴付ボルトの六角穴の内部に配置され、六角穴付ボルトの回転を規制する回転規制部と、を備え、回転規制部は、六角柱状を呈する棒状部材からなり、本体部に対して着脱自在に設けられたものである。
【発明の効果】
【００１４】
この発明に係るエレベーター用ガイドレールクリップの締付治具を使用することにより、スライディングクリップを用いてガイドレールを取付ブラケットに固定する際に、作業者が一人であっても、ボルトの締付作業を片手で且つ簡単に行うことができるようになる。
【図面の簡単な説明】
【００１５】
【図１】エレベーター用ガイドレールの固定部分を示す正面図である。
【図２】エレベーター用ガイドレールの固定部分を示す平面図である。
【図３】この発明の実施の形態１におけるエレベーター用ガイドレールクリップの締付治具を示す斜視図である。
【図４】この発明の実施の形態１におけるエレベーター用ガイドレールクリップの締付治具を示す正面図である。
【図５】この発明の実施の形態１におけるエレベーター用ガイドレールクリップの締付治具を示す側面図である。
【図６】図３に示す締付治具の使用方法を説明するための図である。
【図７】図６のＢ−Ｂ矢視図である。
【図８】図３に示す締付治具の他の機能を説明するための図である。
【図９】この発明の実施の形態２におけるエレベーター用ガイドレールクリップの締付治具を示す斜視図である。
【発明を実施するための形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１．
図３はこの発明の実施の形態１におけるエレベーター用ガイドレールクリップの締付治具を示す斜視図、図４はその正面図、図５はその側面図である。本締付治具は、エレベーターの据付時や改修時等、昇降路内の取付ブラケット２に六角穴付ボルト５を用いてスライディングクリップ３を取り付ける際に、作業者が使用するためのものである。なお、ガイドレール１の固定が完了した時の状態は図１及び図２と同じであるため、その詳細な説明は省略する。
【００１８】
図３乃至図５に示すように、本締付治具は、本体部７、固定部８、回転規制部９により、その要部が構成されている。
本体部７は、例えば、隣接する２面の中央部が開口した箱状を呈する部材からなる。本体部７の前面７ａに形成された開口は、その幅Ｗ１及びＷ２が、スライディングクリップ３の取付ブラケット２への固定部分に合わせて形成されている。即ち、前面７ａの開口の幅Ｗ１及びＷ２は、スライディングクリップ３の上記固定部分を本体部７の内部に収納できるように設定されている。
【００１９】
固定部８は、本体部７（本締付治具）を取付ブラケット２に着脱自在に固定する機能を有している。例えば、固定部８は、本体部７に設けられた磁石からなり、その表面が本体部７の前面７ａと面一になるように配置されている。
【００２０】
回転規制部９は、スライディングクリップ３の固定作業時に、六角穴付ボルト５の回転を規制する機能を有している。具体的に、回転規制部９は、本体部７に設けられた六角柱状を呈する棒状部材からなり、上記前面７ａに平行な本体部７の内側面７ｂから垂直に突出するように配置されている。なお、回転規制部９は、その先端部が、六角穴付ボルト５の頭部に形成された六角穴に嵌合される所定の形状を呈している。
【００２１】
次に、図６及び図７も参照し、上記構成を有する締付治具の使用方法について説明する。図６は図３に示す締付治具の使用方法を説明するための図、図７は図６のＢ−Ｂ矢視図である。
【００２２】
作業者は、スライディングクリップ３を用いてガイドレール１を固定する場合、六角穴付ボルト５（ナット６）の最終的な締め付けを行う前に、図６及び図７に示すように、本締付治具の取り付けを行う。具体的に、作業者は、スライディングクリップ３の長辺側から貫通孔３ｂ及び２ａに六角穴付ボルト５を通した後、固定部８からなる磁石を取付ブラケット２の表面２ｃ（取付ブラケット２のスライディングクリップ３が取り付けられている面）に吸着させ、本締付治具を取付ブラケット２に固定する。
【００２３】
この時、作業者は、回転規制部９の先端部が六角穴付ボルト５の六角穴の内部に配置されるように、回転規制部９を六角穴に嵌合させる。また、本体部７の前面７ａを形成する部分がスライディングクリップ３の上記固定部分の三方に配置されて上記固定部分が本体部７の内部に収納されるように、締付治具を配置する。
【００２４】
締付治具を図６及び図８に示す状態に取り付けると、作業者は、取付ブラケット２の背面２ｂ側から、六角穴付ボルト５のネジ部にナット６を回し入れ、スパナやラチェットレンチ等を使用して、ナット６の締め付けを行う。なお、回転規制部９の先端部が六角穴付ボルト５の六角穴に嵌合するように配置されているため、ナット６の締め付けによって六角穴付ボルト５に回転力が作用しても、六角穴付ボルト５の回転は回転規制部９に阻害され、六角穴付ボルト５がナット６とともに回転してしまうことはない。
【００２５】
また、エレベーターのガイドレール１は断面Ｔ字状を呈しており、ガイド部１ａの両側にフランジ部１ｂが設けられている。このため、ガイドレール１を取付ブラケット２に取り付ける場合、一般に、１つの取付ブラケット２に対して２つのスライディングクリップ３が使用され、スライディングクリップ３はガイドレール１の両側に取り付けられる。
【００２６】
このため、作業者は、一側のスライディングクリップ３の取り付けが終了すると、次に、反対側のスライディングクリップ３の取り付けを行う。なお、スライディングクリップ３は、ガイドレール１の両側で同じものが使用されるが、フランジ部１ｂと六角穴付ボルト５の固定位置とに合わせて、その取付向きは反対になる。このため、上記手順によって一側のスライディングクリップ３を取り付けた場合は、締付治具の向きを左右反転させて、他側のスライディングクリップ３の取り付けを行う。
【００２７】
上記構成を有する締付治具を使用することにより、スライディングクリップ３を用いてガイドレール１を取付ブラケット２に固定する際に、作業者が一人であっても、六角穴付ボルト５の締付作業を片手で且つ簡単に行うことができるようになる。特に、昇降行程の長いエレベーターの据付時には、スライディングクリップ３の個数も多くなる（例えば、取付ブラケット２が昇降路内に７５段必要な場合は、エレベーターのかご側及び釣合い重り側を含め、７５×８＝６００回の締付作業が必要になる）ため、有効な手段となり得る。
【００２８】
なお、図８は図３に示す締付治具の他の機能を説明するための図であり、本締付治具を複数種類の六角穴付ボルト５に対応させるための構成を示している。上記機能を実現するため、図８に示すものでは、回転規制部９を本体部７に対して着脱自在に構成し、大きさの異なる回転規制部９を本体部７に取り付けることができるようにしている。具体的に、図８（ａ）は本体部７から回転規制部９を取り外した時の正面図を、図８（ｂ）及び（ｃ）は、異なる大きさの回転規制部９を本体部７に取り付けた時の要部側面図を示している。即ち、本体部７に取り付けられている回転規制部が六角穴付ボルト５の六角穴に嵌合しない場合、作業者は、適切な大きさを有する回転規制部に取り替えてから、スライディングクリップ３の固定作業を開始する。
【００２９】
実施の形態２．
図９はこの発明の実施の形態２におけるエレベーター用ガイドレールクリップの締付治具を示す斜視図である。
本実施の形態における締付治具には、上記固定部８が備えられていない。また、六角柱状を呈する回転規制部９の先端部（六角穴付ボルト５の六角穴の内部に配置される部分）に、磁石１０が設けられている。その他の構成は、実施の形態１と同様である。
【００３０】
上記構成の締付治具を使用する時の状態は、基本的に、図６及び図７に示すものと同じである。即ち、作業者は、回転規制部９の先端部が六角穴付ボルト５の六角穴の内部に配置されるように、回転規制部９を六角穴に嵌合させ、更に、本体部７の前面７ａを取付ブラケット２の表面２ｃに対向させてスライディングクリップ３の固定部分が本体部７の内部に収納されるように、締付治具を配置する。なお、本締付治具には上記固定部８が設けられていないが、回転規制部９の先端部に設けられた磁石１０が六角穴付ボルト５に吸着するため、回転規制部９が六角穴付ボルト５の六角穴から外れるようなことはない。
【００３１】
締付治具を上記状態に取り付けると、作業者は、取付ブラケット２の背面２ｂ側から、六角穴付ボルト５のネジ部にナット６を回し入れ、スパナやラチェットレンチ等を使用して、ナット６の締め付けを行う。なお、回転規制部９の先端部が六角穴付ボルト５の六角穴に嵌合しているため、ナット６の締め付けによって六角穴付ボルト５に作用した回転力は、本締付治具にも伝達される。上記回転力が小さい場合、本締付治具の自重によって六角穴付ボルト５の回転は阻害され、六角穴付ボルト５がナット６とともに回転してしまうことはない。一方、ナット６を締め上げる時等、上記回転力が大きい場合は、本締付治具の自重に抗して六角穴付ボルト５が回転してしまう。しかし、かかる場合であっても、上記六角穴付ボルト５の回転に連動して本体部７が回転し、本体部７が直ぐにスライディングクリップ３の固定部分に接触する。このため、本体部７のこの接触によって六角穴付ボルト５の回転は阻害され、六角穴付ボルト５がそれ以上回転してしまうこともない。
【００３２】
上記構成の締付治具を利用しても、作業者は、六角穴付ボルト５の締付作業を片手で且つ簡単に行うことができる。
【符号の説明】
【００３３】
１  ガイドレール
１ａ  ガイド部
１ｂ  フランジ部
２  取付ブラケット
２ａ、３ａ、３ｂ  貫通孔
２ｂ  背面
２ｃ  表面
３  スライディングクリップ
４  スベリ板
５  六角穴付ボルト
６  ナット
７  本体部
７ａ  前面
７ｂ  内側面
８  固定部
９  回転規制部
１０  磁石
【図１】
0005569193.tif 000002
【図２】
0005569193.tif 000003
【図３】
0005569193.tif 000004
【図４】
0005569193.tif 000005
【図５】
0005569193.tif 000006
【図６】
0005569193.tif 000007
【図７】
0005569193.tif 000008
【図８】
0005569193.tif 000009
【図９】
0005569193.tif 000010